(57)【特許請求の範囲】
【請求項１】
実質的に連続でしなりやすい表面及び複数の光源を有する照明ユニットであって、前記光源の各々がそれぞれ光軸を持つ光ビームを生成し、前記光源の各々が前記しなりやすい表面のそれぞれの表面領域で前記しなりやすい表面と接続されることにより前記それぞれの表面領域の方向及び前記それぞれの光軸の方向がリンクされ、前記しなりやすい表面が、複数の表面領域の少なくとも一部の異なる方向であって、異なるプロフィールに対応する当該異なる方向を持つ当該異なるプロフィールへしなりやすく、閉じたボディが前記しなりやすい表面を有し、前記閉じたボディは、複数の閉じた区画から成り、前記閉じたボディは、前記閉じた区画に対する個別に制御可能な流体による圧力を使用して、前記しなりやすい表面の前記プロフィールを制御する、照明ユニット。
【請求項２】
前記閉じたボディを通る液体又はガスの流れを送る、請求項１に記載の照明ユニット。
【請求項３】
複数の作動位置で前記しなりやすい表面を動かすアクチュエータを有する、請求項１又は２に記載の照明ユニット。
【請求項４】
前記光源での作動位置で前記光源の前記光軸を動かすアクチュエータを有する、請求項１乃至３の何れか一項に記載の照明ユニット。
【請求項５】
前記照明ユニットは多角形形状である、請求項１乃至４の何れか一項に記載の照明ユニット。
【請求項６】
前記複数の光源を接続させるしなりやすい電気的接続部を有する、請求項１乃至５の何れか一項に記載の照明ユニット。
【請求項７】
前記しなりやすい表面が弾性的である、請求項１乃至６の何れか一項に記載の照明ユニット。
【請求項８】
前記しなりやすい表面が塑性的に変形可能である、請求項１乃至７の何れか一項に記載の照明ユニット。
【請求項９】
前記光源がＬＥＤであり、前記ＬＥＤがしなりやすい表面の１００ｃｍ２当たり少なくとも１個のＬＥＤがある密度で、好ましくは１０ｃｍ２当たり少なくとも１個のＬＥＤがある密度で供給される、請求項１乃至８の何れか一項に記載の照明ユニット。
【請求項１０】
前記照明ユニットの前記しなりやすい表面の前記プロフィールを制御するコントローラを有する、請求項１乃至９の何れか一項に記載の照明ユニット。
【請求項１１】
前記照明ユニットは多角形形状である、請求項１乃至１０の何れか一項に記載の照明ユニットを複数有する照明システム。
【請求項１２】
請求項１乃至１０の何れか一項に記載の一つ以上の照明ユニット又は請求項１１に記載の照明システムを有する、スペース。
【請求項１３】
スペース内の照明プロフィールを規定するため、請求項１乃至１０の何れか一項に記載の一つ以上の照明ユニット又は請求項１１に記載の照明システムの使用。
【発明の詳細な説明】
【技術分野】
【０００１】
本発明は、照明ユニット、照明ユニットを持つ照明システム、照明ユニットを持つスペース及び照明ユニットの使用に関する。
【背景技術】
【０００２】
オフィスの照明は、通常種々異なるタイプの照明システムの組合せとして供給される。例えば、蛍光照明がオフィスの通常の照明として天井に組付けられていて、デスクトップランプが机上での個別の作業のための個別のタスク照明を供給するために用いられ、ハロゲンスポットが壁にかかっている絵のスポット照明のために壁又は天井に配置される。このように、照明は、機能的及び装飾的な目的で供給される。ほとんどのタイプの照明システムは、１回限りの取り付けの固定設置である。デスクトップランプのような幾つかの個々の独立型ランプは、調節可能である。
【０００３】
斯様な独立型調節可能なランプの例は、米国特許出願ＵＳ２００３／０１９３８０２Ａ１に説明されている。米国特許出願ＵＳ２００３／０１９３８０２Ａ１は、共通の焦点エリアに複数のダイオード光ビームを放射する複数の発光ダイオードを取り付けるための複数の別々のフラットパネルを含む、ステージ、シアター及び建築照明のためのダイオード光源システムを説明する。パネルを含むハウジングは、中心の基底部と、ハウジング開口部を定めている円形リムとを持ち、ハウジング開口部は、中心の基底部と位置合わせされる軸を横断して配置される円形リム面中心で位置合わせされている。ネジアレンジメントが、複数の選択された位置でパネルを位置決めし、各パネルが軸に対して選択された角度で方向づけられ、グループ化されたダイオードが各別々のパネルを横断するダイオード光ビームを放射する。
【発明の概要】
【発明が解決しようとする課題】
【０００４】
多くの従来のシステムの不利な点は、例えば、従来のランプが単一のビームだけを生成し、その上、従来のランプは所定の焦点方向の単一のビームにある程度の収束を変化可能にするだけなので限られた程度の柔軟性を提供するだけであるということである。従って、一般に斯様なランプはオフィス照明のために役立たない。言うまでもなく、オフィス照明は、例えば一般照明及びタスク照明のような異なるタイプのライトの組合せを供給するのに適していなければならないからである。
【０００５】
多くの従来のシステムの他の不利な点は、例えば、主にオフィスの照明が、利用できる照明設置により固定されていることであり、オフィスのワークスペース、例えばオフィス机の位置が、オフィススペース領域の効率的な使用のために決定されるというよりもむしろ、前記利用できる照明設置により決定されてしまうことである。更にまた、ユーザは、デスクトップのスペースを取るデスクトップランプのようなタスク照明のための追加の光源を使う必要があることを望まない。従来技術の他の不利な点は、システムがインストールされた後で、照明パターンが（容易に）変更できないことである。
【０００６】
部屋の中、特に天井の照明、特にオフィスのような分散作業領域を持つスペース、又はショップのように頻繁にレイアウト変更があるスペースの照明の配置について柔軟性のための欲求がある。１回限りの取付けを必要とする一方、同時に異なる程度の光の集中を持つ照明を提供可能にする、例えば部屋の一般照明と、作業領域内のタスク照明のための光の集中を持つ領域、又は店内の品目のディスプレイに対する特別な色の光の集中を持つ領域と、店のフロアの残りの場所に対して一般照明を持つ領域とを持たせることを可能にする、用途が広い照明配置を提供したいという更なる願望がある。追加的に遊び心の光分布を、スペースの特定の領域、例えば使っていない領域に供給可能にするという更なる願望がある。
【課題を解決するための手段】
【０００７】
よって、好ましくは更に少なくとも部分的に上述の欠点の一つ以上を取り除き、更に好ましくは上記の願望の一つ以上を成し遂げる代わりの照明ユニット（又は、照明システム）を提供することが本発明の見地である。
【０００８】
これを達成するために、本発明は、第１の態様において、実質的に連続でしなりやすい表面及び複数の光源を有する照明ユニットであって、前記光源の各々がそれぞれ光軸を持つ光ビームを生成し、前記光源の各々が前記しなりやすい表面のそれぞれの表面領域で前記しなりやすい表面と接続されることにより前記それぞれの表面領域の方向及び前記それぞれの光軸の方向がリンクされ、前記しなりやすい表面が、複数の表面領域の少なくとも一部の異なる方向であって、異なるプロフィールに対応する当該異なる方向を持つ当該異なるプロフィールへしなりやすい、照明ユニットを提供する。
【０００９】
よって、しなりやすい表面のプロフィールは、しなりやすい表面の表面領域の方向を定め、光軸の方向がそれぞれの表面領域の方向にリンクされるので、光軸の方向はそれに応じて定められる。このように照明ユニットは、異なる照明プロフィールを容易に提供できる。このように、しなりやすい表面のプロフィールが定められ、最初に定められた後、例えばユーザのニーズに依存して変更できるような可撓性の照明ユニットが供給される。例えば照明システムは、例えばデスクでの作業領域、オープン領域及びデスク間の通路を持つオフィスに取り付けられるとき、しなりやすい表面の一部は、例えば机での最適な光分布を得るための作業領域に集中した光を供給するように形成される一方で、例えばオフィスの背景照明レベルとして、オープン領域及び通路の照明として、しなりやすい表面の残りは通常の照明を供給するように形成される。オフィスの机の位置が変更されるとき、しなりやすい表面は、変更位置に対して適応するように異なって形成される。
【００１０】
他の利点は、照明ユニットが１つのライトとして認められる一方、それにもかかわらずスペース内の幾つかの領域は、他の領域より強く照明される（照明プロフィール）ということである。よって、照明ユニットは、拡張されているが、実質的に均一な照明装置（例えば天井照明として）を提供するように設けられ、驚くべきことに、他より強く幾つかの部分を照明する。
【００１１】
他の利点は、本発明による照明ユニットが同じ光源で両タイプの照明を提供するので、タスク照明のための他の光源が通常照明のための光源に加えて必要ではないということである。本発明による照明ユニットは、インストールされるライトの量及びインストールされる電力の総量に関して照明の両タイプに効率的に適応する。
【００１２】
用語「照明ユニット」は、複数の照明ユニットも指す。照明システムは、斯様な複数の照明ユニットを有してもよい。よって、照明システムは、一つ以上の照明ユニット、好ましくは２―９６のような複数の照明ユニットを有する。
【００１３】
照明ユニットは、特に照明装置である。照明ユニットは、天井ライトとして部屋に照明を供給するためのスペース、例えばオフィススペース又はショップスペースの天井に取り付け可能である。照明ユニットは、天井に直接及び／又は天井から吊るして取り付け可能である。照明ユニットは、より大きなサイズの照明ユニットを形成するため及び／又は照明システムを形成するため一つ以上の他の照明ユニットに接続可能である。
【００１４】
しなりやすい表面は、しなりやすいシートの側の一方が対応してもよい。光源は、表面内に又は表面の後でしなりやすい表面上に供給され、後者（表面の後）の場合、表面は生成された光ビームに対して少なくとも局所的に透過性である。本願では局所的な透過性は、光源からの光が表面の後ろから漏れるための表面内の開口部を指してもよいが、透明なプラスチックのような透明な材料を指してもよい。用語「実質的に連続的」は、例えば、光源からの光が照明ユニットから漏れることができる任意の開口部を持つ実施例を除いて、また、光源及び任意の光学系を除いて、鋭い不連続又は開口部なしで、しなりやすい表面が統合された及び連続表面として、ユーザにより認識されることを示す。
【００１５】
よって、光源は、しなりやすい表面に接続されている。このように、表面領域の方向、すなわち光源が接続されるしなりやすい表面のローカル部分が、光軸の方向にリンクされる。光源が接続される表面領域が、押したり、プッシュしたり、曲げたり、引っ張ったり等することにより動くとき、光源も動き、よって光軸が動く。同様に、光源がしなりやすい表面に接続されているので、光源を動かすことは表面領域を局所的に動かす。よって、光軸の方向を変えるとき、表面領域の方向も変化する。その上、１つの光源が接続される表面領域を動かすとき、また、その隣接する光源の光軸は漸進的な変化を経験し、漸進的な変化は、表面が動かされる位置からの距離に依存し、よって、滑らかな照明プロフィールを得る。一つの態様又は他の態様で、光源は、このようにそれぞれの表面領域に取付けられる。斯様な取付は、表面領域上に、内に又は後ろで行われる。
【００１６】
以下に、実施例が説明される。当業者に明らかなように、実施例は組み合わされてもよい。
【００１７】
実施例では、照明ユニットは、しなりやすい表面を有する閉じたボディを有する。閉じたボディは、例えばしなりやすい材料の膜でカバーされる堅いドラムであり、膜の外面がしなりやすい表面を形成する。閉じたボディは、このように一つ以上の位置で直接若しくは中間部分を介して間接的に、しなりやすい表面と接触するか、又は閉じたボディの少なくとも一部がしなりやすい表面の少なくとも一部を含む。
【００１８】
実施例では、閉じたボディは、流体、特にガス又は液体、好ましくはガスの圧力を使用してプロフィールを制御するように設けられる。用語「流体」は、液体の混合物も指す。例えば、閉じたボディ内部及び閉じたボディの外側の圧力が同じであるとき、しなりやすい表面は実質的に平坦であり、プロフィールは実質的に平坦である。しかしながら、閉じたボディ内部の圧力が、閉じたボディの外部より大きいとき、しなりやすい表面は、より大きな圧力内部により外向きに押圧されて、凸形状を得る。他方、閉じたボディ内部の圧力が、閉じたボディの外部より小さいとき、しなりやすい表面は、より大きな外部圧力により内向きに押圧されて、凹形状を得る。このように、プロフィールは、閉じたボディ内部の圧力に依存して、又は閉じたボディの内部と外部との間の圧力差に依存して、異なる程度の凸状及び凹状に制御できる。プロフィールの変化は、膨張及び収縮と呼ばれ、又はより一般的には以下にバルーンとも呼ばれる。本願では、このように、用語「閉じたボディ」は、このように、流体で満たすことができる内部ボリュームを持つボディを指し、流体を導入及び／又は除去する（又は漏れを可能にする）ために一つ以上の開口部を持つ。
【００１９】
他の実施例では、圧力は、ガス圧力又は液体圧力として供給される。よって、流体は、ガス又は液体、好ましくはガスである。ガスは、例えば空気である。空気は軽量構造体を供給し、空気圧力は比較的容易に制御できるので、空気の使用は有利である。熱源、例えば光源から熱が離れるように熱を送るために、閉じたボディを通じて液体が例えば循環できるとき、液体、例えば水が有利である。
【００２０】
実施例では、閉じたボディは複数の閉じた区画を有し、閉じたボディは、閉じた区画に対して個別に制御可能な圧力を使用して、しなりやすい表面のプロフィールを制御するように設けられる。これは、凸状又は凹状の個別のレベルに従って個別に各区画を形成可能にし、このように、しなりやすい表面の全体のプロフィールについて、より多くの柔軟性を可能にする。個別に制御可能な圧力は、閉じたボディの外側から供給されて制御されるか、又は閉じたボディそれ自体により供給される。このように、閉じた区画は一つ以上の位置でしなりやすい表面と、直接若しくは中間部分を介して間接的に接触するか、又は閉じた区画の少なくとも一部が、しなりやすい表面の一部をそれぞれ含む。
【００２１】
区画は個々の区画でもよいが、区画の一つ以上が互いに連通していてもよい。このように、本願では、用語「閉じた区画」は、流体で満たされる内部ボリュームを持つ区画を指し、このように、流体を導入及び／又は除去する（又は漏れ可能にする）ために一つ以上の開口部を持つ区画を指す。
【００２２】
閉じたボディを持ち、複数の閉じた区画を持つ上述した実施例は、「バルーン可能な閉じたボディ」としても本願では示されている。
【００２３】
実施例では、照明ユニットは、閉じたボディを通じて液体又はガスの流れを送るように設けられる。液体又はガスの流れを送ることは、例えば光源から熱が離れるように熱を送ることを可能にする。その上、閉じたボディ内で、閉じたボディが複数の区画を有するならば、その個々の区画内で、液体又はガスの量及びフローレートを制御することは、圧力を付与し制御可能にし、よってプロフィールを制御可能にする。流体の流れは、閉じたボディ内で循環し、よって、自己充足的なシステムを提供する。代わりに、液体又はガスの流れは、照明ユニットに新しく又は再利用された液体若しくはガスを供給する外部ソースから生じてもよく、外部ドレインへ配送される。流れは、圧力制御及び／又は流量制御手段を持ってもよい。
【００２４】
実施例では、照明ユニットは、複数の作動位置でしなりやすい表面に作用するように設けられたアクチュエータを有する。上述のように、光軸の方向及びそれぞれの表面領域は、連結（リンク）される。このように、実施例では、照明ユニットは、また、光源での作用位置で光源の光軸に作用するように設けられたアクチュエータを有する。
【００２５】
アクチュエータは、複数の作動位置でしなりやすい表面に作用することにより、しなりやすい表面にプロフィールを提供でき、よって、表面領域の向き、よって光ビームの向きを与える。アクチュエータは、平坦な形状のしなりやすい表面に対応する基準平面と例えば実質的に直角をなす機械的な作動を例えば提供する。同様に、アクチュエータは、複数の光源に照明プロフィールを提供でき、これによって、また、しなりやすい表面に作用できる。
【００２６】
アクチュエータは、通常、複数の作動位置で幾つかの光源及び／又はしなりやすい表面に接続される複数のアクチュエータ要素を有する。上述のように、それぞれの表面領域の方向及びそれぞれの光軸の方向は、リンクされる。よって、照明プロフィールを制御し及び／又はしなりやすい表面のプロフィールを制御することが、また事実上リンクされてもよい。プロフィールを変えるとき、一つ以上の光源の光軸の方向も変化する。代わりに（又は、更に）、一つ以上の光源の光軸の方向を変えるとき、また、表面領域の方向も変化し、よってプロフィールも変化する。
【００２７】
アクチュエータが、バルーン可能な閉じたボディに代わるものとして用いられてもよい。アクチュエータは、閉じたボディと共に用いられてもよく、例えばプロフィール、それぞれの閉じた区画内の液体の圧力を使用するとき、各区画が供給できる実質的に凸状及び凹状のプロフィールから例えば逸脱する付加的なプロフィールを定める際に、付加的な自由度を供給するため閉じたボディ区画内で液体又は空気圧力と協働してもよい。
【００２８】
アクチュエータは、電気的リニアモーター、スクリューギアを持つモーター、空気モータ、リニア圧電アクチュエータ及びターンアクチュエータからなるグループから例えば（独立して）選択され、それぞれのアクチュエータ要素を作動させるために設けられる作動ユニットを持つ。
【００２９】
アクチュエータの使用は、非常に正確な位置決めを可能にし、よって照明プロフィールの非常に正確な規定を可能にする。アクチュエータは、多くの手動調整なしで便利なやり方で既定の照明プロフィールを提供する。
【００３０】
照明ユニットは、更に、照明ユニットのしなりやすい表面のプロフィールを制御するためのコントローラを有する。コントローラは、例えば、閉じたボディ又はその区画の圧力を制御する。コントローラは、複数のアクチュエータ要素により供給されるしなりやすい表面のプロフィールを制御するためのアクチュエータコントローラでもよい。アクチュエータコントローラは、例えば複数のアクチュエータユニットと電気的に通信して、アクチュエータコントローラがプロフィールを制御するために設けられる。複数の既定の条件は、例えば専門家のオペレータにより、コントローラのメモリで例えばプログラムされてもよく、既定の条件の１つは、例えばユーザにより、例えばオフィス従業員により選択されるか、又は（日照）光センサ、熱センサ、時間センサ等のようなセンサのセンサ信号の結果としてアクチュエータコントローラにより選択されてもよい。よって、コントローラは、また、光軸のプロフィールを制御するように設けられ、すなわち、換言すればコントローラは、照明プロフィールを制御するように設けられる。照明ユニットのしなりやすい表面のプロフィールを制御することにより、照明プロフィールは、また制御される。
【００３１】
他の実施例では、作用位置の数は、光源の数と異なる。特に、作用位置の数は、光源の数より小さくてもよい。これは、例えば光源の数より少ない作動部材の使用を可能にするので、経済的である。非常に大きな数の作用位置が使われるとき、しなりやすい表面は、十分に滑らかな態様で依然形成できる。
【００３２】
実施例では、照明ユニットは、多角形状である。多角形プロフィールの使用は、２つ以上の照明ユニットが例えば照明システム内で結合されるとき、照明ユニット間の実質的にシームレスな遷移を好適に可能にする。多角形プロフィールは選択され、照明ユニットは規則正しい格子に配置される。実施例では、２タイプ以上の異なる多角形の組合せが適用される。好ましい実施例では、規則正しい格子は、通常の三角形、正方形又は六角形の何れかを有する。
【００３３】
他の実施例では、複数の光源は、実質的に円形又は螺旋形でしなりやすい表面に接続され、例えば多角形状の照明ユニットの中心に置かれる。更に他の実施例では、複数の光源は、実質的に円形又は螺旋形で多角形状の照明ユニットのしなりやすい表面に接続され、多角形状の照明ユニットの中心に置かれる。これは、しなりやすい表面が拡大するとき、例えば取付、冷却又は電気的接続手段で誘発される応力を最小化するので、しなりやすい表面が形状を変えるとき、有利である。
【００３４】
代わりの他の実施例では、複数の光源は、実質的に星型でしなりやすい表面に接続されていて、例えば多角形状の照明ユニットの中心に置かれる。更に、他の代わりの実施例では、複数の光源は、実質的に星型形状で多角形状の照明ユニットのしなりやすい表面に接続されていて、多角形状の照明ユニットの中心に置かれる。これは、しなりやすい表面が拡大するとき、例えば応力を最小化するので、しなりやすい表面が形状を変えるとき、有利である。
【００３５】
実施例では、照明ユニットは、複数の光源を相互接続しているしなりやすい電気的接続部を有する。しなりやすい電気的接続部は、しなりやすい表面と一体化され、それは熱、電気的及び／又は機械的理由のために有利である。例えば、銅のワイヤが、電気的接続部を確立するための材料として、しなりやすい材料として用いられる。銅のようなしなりやすい電気的接続部を使用する利点は、しなりやすい電気的接続部が可塑的に変形可能な特性も持つということである。
【００３６】
実施例では、しなりやすい表面は弾性的である。しなりやすい表面が弾性的なとき、しなりやすい表面は、最小の内部力で通常の状態に、例えば実質的に平坦な形状に好適に戻る。このように、照明ユニットは、例えば実質的に均一な照明プロフィールに対応する「デフォルトのプロフィール」を具備する。通常の状態は、例えば、閉じたボディの内部の空気が閉じたボディの外部の空気と開放連通していて、圧力差が起きないとき、しなりやすい表面に（効果的に）力が働かない状況に対応する。
【００３７】
実施例では、しなりやすい表面は、形成された後にそのプロフィールを維持できるか、又は、換言すれば、しなりやすい表面は可塑的に変形可能である。これは、しなりやすい表面に半永久的なプロフィールを供給し、よって例えば、特定の通常は非平坦なプロフィールの最初の規定及び設定が必要とされる間、力の連続的な付与が初めに規定された形状を維持するためには必要とされない一方、しなりやすい表面のプロフィールがたまにだけ変わるときに有益である。当業者には明らかなように、用語「可塑的に変形可能である」は、変形が可逆的であり、適当な力を付与することにより元に戻すことができることを示す。
【００３８】
実施例では、照明ユニットは、しなりやすい表面を有するシートのしなりやすい材料を有する。しなりやすい材料のシートは、例えばフレームに固定される膜である。膜及びフレームは共に、上述のような圧力で制御される閉じたボディを形成する。代わりに、しなりやすい表面は、ピンが突き出た毛布のような機械的アクチュエータ要素のアレイ上に位置され当該アレイに接続されるシートでもよく、当該アクチュエータ要素のアレイが上述のようなシートに作用する。
【００３９】
光源は、小さな白熱灯、ファイバーチップ又は（実施例は比較的安価となるという効果を持つ、ファイバーから光が漏れ出るように設けられた）不規則なファイバーのような光源を有してもよいが、特にＬＥＤ（発光ダイオード）を有する。ＬＥＤを使用する特定の利点は、ＬＥＤが比較的小さくて軽量であり、従って、多数の光源のアレンジメントを可能にするということである。ＬＥＤを使用する他の特定の利点は、ＬＥＤが適切に設計された光学系を具備し、よって比較的狭いビームを提供し、照明ユニットにより生成される照明プロフィールの正確な規定を可能にすることである。用語「ＬＥＤ」は、有機発光ダイオード（ＯＬＥＤ）を指すが、特に半導体照明を指す。特に明記しない限り、本願の例で用いられる用語「ＬＥＤ」は、更に半導体ＬＥＤを指す。
【００４０】
実施例では、光源は、少なくとも一つの発光ダイオード（ＬＥＤ）を好ましくは有する。光源として半導体ＬＥＤは、小さな寸法及び狭いビームを供給する機能のため、特に所望される。好ましくは、光源はＬＥＤである。
【００４１】
更に、実施例では、しなりやすい表面は、しなりやすい表面に接続されている複数のＬＥＤのような複数の光源を有する。「複数のＬＥＤ」のような用語「複数の光源」は、２つ以上の光源、特に２―１０００００個の光源、例えば１６―２５６のような、４―３００のような２―１００００個の光源を指す。一般に、照明ユニットは、しなりやすい表面の２―１００００個の光源／ｍ２の密度で、特に２５―２５００個の光源／ｍ２の密度でＬＥＤのような光源を有し、当該密度は照明ユニットによりカバーされる総面積（すなわちしなりやすい表面）に対して測定される。好ましくは、ＬＥＤのような光源は、しなりやすい表面の１００ｃｍ２当たり少なくとも１つのＬＥＤの密度で、好ましくは１０ｃｍ２当たり少なくとも１つのＬＥＤの密度で供給される。他の実施例では、ＬＥＤは、５ｃｍ２当たり少なくとも１つのＬＥＤの密度で供給される。
【００４２】
斯様な比較的高い密度を持って、かなりの程度の柔軟性が得られる。その上、高密度のＬＥＤは、比較的低い電力消費を持つＬＥＤの使用を可能にし、これは熱的観点から有利である。照明ユニットに使用されるＬＥＤの数が、例えば必要な照明レベル、タイプ及び（光出力レベル、光の色、熱特性及び／又は電気的動作パラメータのような）ＬＥＤの特性、並びに照明ユニットから生成される照明プロフィールの柔軟性の必要な程度に依存して決定されることが理解されるだろう。
【００４３】
実施例では、光源は、色及び／又は輝度に対して制御できる。これは、更に光の品質を改善する。色は、例えば時刻又は部屋内の作業のタイプに依存して変えられる。色及び／又は輝度は、例えばセンサ信号、日及び／若しくは時刻、又はユーザの入力に依存して、コントローラにより制御される。ユーザの入力は、例えば、ユーザにより操作される遠隔制御ユニットから供給され、遠隔制御ユニットは、遠隔制御ユニットへのユーザの入力に依存して制御信号をコントローラに供給するように設けられる。ユーザの入力は、既定の数の既定の設定からの選択として、又は、ユーザの入力が光源に対してユーザにより供給される複数の設定から例えば編集される、自由にプログラム可能な設定として供給される。
【００４４】
他の実施例では、発光ダイオードは、第２の光学系を具備する。これは、例えば１２°半値全幅（ＦＷＨＭ）又は更に６°ＦＷＨＭの開口角度φを持つ狭い光ビームを供給することを可能にする。他の実施例では、第２の光学系は、しなりやすい表面と一体化されている。これは、機械的に頑強なシステムを提供する。
【００４５】
実施例では、照明ユニットは、更にしなりやすい表面のプロフィールを示すモニタパラメータを監視するモニタを有し、モニタパラメータは、好ましくは圧力、流れ、流体量、少なくとも一つのそれぞれの表面領域の少なくとも一つの方向及び少なくとも一つのそれぞれの光軸の少なくとも一つの方向からなるグループの少なくとも一つであり、モニタは、モニタパラメータに依存するモニタ信号を供給する。
【００４６】
このように、照明ユニットのモニタは、例えば内部又は外部のコントローラを使用して観察及び／又は調整されるべき照明ユニットの制御を可能にするモニタ信号を供給する。圧力は、例えば閉じたボディ内部の圧力、その区画内の圧力又は外部供給源に付与される圧力であり得る。流れは、例えば閉じたボディを通る液体又はガスの流れ、その区画を通る流れ、又は一つ以上の外部供給源を通る流れのレートであり得る。流体のボリュームは、例えば閉じたボディ内にある流体のボリューム、又はその区画内部のそれぞれのボリュームであり得る。閉じたボディ（又は区画）への流れと閉じたボディ（又は区画）からの流れとの間の違いが、例えば閉じたボディ（又は区画）内部の流体のボリュームの変化を決定するために用いられる。圧力、流れ及び／又はボリュームは、プロフィールの間接的な測定を供給し、間接的ではあるが、得るのが容易である。方向は、しなりやすい表面のプロフィールの直接の測定を提供し、及び／又は光ビームの結果的方向を提供し、それ自体で結果として照明プロフィールの直接の測定となる。しかしながら、当業者は、例えば表面領域の方向、ビーム方向又はビームプロフィールの方向を測定、決定するための幾つかのコンポーネント及び方法を知っている。
【００４７】
他の実施例では、照明ユニットは、コントローラと協働するように設けられ、コントローラは、モニタからモニタ信号を受信し、モニタ信号に依存してプロフィールを制御し、ここで、照明ユニットはコントローラを好ましくは有する。
【００４８】
特に、照明ユニットは、照明ユニットのプロフィールを制御するためのコントローラを有し、すなわち、照明ユニットは、このように、照明ユニットの照明プロフィールを制御するコントローラを有する。コントローラは、照明ユニットの外部に設けられてもよいが、好ましくは照明ユニット内に一体化される。
【００４９】
制御は、例えばフィードフォワード制御、又は代わりに、フィードバック制御であり得る。気圧の効果と同様に、例えば異なる閉じたボディ間の付与された圧力の関数として凸状の程度間の変動がフィードバック制御を使用して修正されるので、特にフィードバック制御では、デザイン及び製造許容誤差は緩い。
【００５０】
本発明の第２の態様は、先行する請求項の何れか一項による少なくとも一つの照明ユニットを有する照明システムを提供する。照明ユニットシステムは、このように異なる照明プロフィールを容易に供給する。このようにして、しなりやすい表面のプロフィールが規定できるので、最初に規定された後で、例えばユーザのニーズに依存して変更できる可撓性の照明システムが提供される。斯様な照明システム及び他の実施例の更なる利点は、上述のように本発明による照明ユニットの利点から当業者に明らかであり、ここでは繰り返されない。好ましくは、複数の照明ユニットを有する照明システムの実施例が提供され、ここで、照明ユニットは多角形状である。このようにして、隣接及びオプションで結合された照明ユニットの規則正しい格子が提供される。実施例では、少なくとも一つの照明ユニットのしなりやすい表面が、共に実質的に連続的な表面を形成する。
【００５１】
用語「照明システム」は、複数の照明システムも指す。
【００５２】
実施例では、照明システムは、少なくとも一つの照明ユニットのしなりやすい表面のプロフィールを制御するシステムコントローラを有する。
【００５３】
第３の本発明の態様は、上述の実施例の任意の一つによる照明システムを有するスペースを供給する。スペースは、例えば部屋、オフィス、廊下、通路、工場のフロア、又は、全体又は一部の照明システムを再インストールする必要なしで照明状態の調整が期待される任意の他のスペースである。スペースは、特に個々の照明要件を持つ複数の作業領域を持つスペースである。斯様なスペースが本発明による照明システムを有するとき、全ての作業領域は、実施される何れの再インストールなしで、例えばデスクトップランプのような追加のライトを必要とせずに、適切に照明される。他の実施例では、照明システムは、スペースの壁の一部を照明するように設けられる。これは、周辺の壁照明のための追加の照明ユニットに対するニーズを取り去り、全体のスペース内の一貫した照明プロフィールを可能にする。実施例では、照明システムは、第１の照明プロフィールから第２の照明プロフィールへ所定の時間にわたって変化する照明プロフィールを供給する。当該変化は繰り返され、２つ以上の照明プロフィール間の漸進的なサイクルを供給する。
【００５４】
実施例では、照明システムは、スペースの天井に取付けられる。照明システムは、直接天井に取付けられるか、又は代わりに、天井から吊るされる。照明システムは、このように単一のシステムを持つ通常の照明及び集中照明を提供できる。
【００５５】
本発明の第４の態様は、上述の実施例の任意の一つによる照明システムを使用している照明プロフィールを供給する方法を提供し、当該方法は、しなりやすい表面のプロフィールを第１の形状から第２の形状に変えるステップを有する。
【００５６】
当該方法は、照明プロフィールを変える便利な態様を供給する。
【００５７】
他の実施例では、照明プロフィールを供給することは、しなりやすい表面の部分上の光源により生成される光の集中を供給することと関連している。集中は、例えば、作業領域又は店の物品のディスプレイと関連している。
【００５８】
実施例では、照明プロフィールを供給することは、しなりやすい表面のそれぞれの部分上の光源により生成される光の複数の集中を供給することと関連している。集中は、例えば複数の作業領域と関連している。作業領域は、例えば、オフィス内のオフィス机、ワークショップの作業台、工場フロアの個々の作業領域、又は同様に店内の物品の複数のディスプレイに対応する。照明プロフィールを規定することは、更に、通常の照明ライトを供給することに関連している。照明プロフィールを供給することは、しなりやすい表面の部分上の光源により生成される集中していない光と関連していてもよい。これは、例えばオフィス、ワークショップ若しくは工場のフロアの例えば通路又は開放区域に対応する広く照明された領域を供給することを可能にする。照明プロフィールを供給することは、第１の照明プロフィールから第２の照明プロフィールへ所定の時間にわたって照明プロフィールをゆっくり変えることと関連している。
【００５９】
実施例では、プロフィールを変えることは、圧力を付与することを有する。例えば、実施例に従って照明システムの照明ユニットのそれぞれの閉じた区画内の圧力レベルを変えるとき、プロフィールの対応する部分が、しかるべく凸状又は凹状の程度を変える。
【００６０】
本発明の第５の態様は、スペース内の照明プロフィールを定めるために、上述の実施例の任意の一つによる照明システムの使用に関する。
【００６１】
スペースは、このように、例えば、しなりやすい表面の部分上の光源により生成される光が好ましくは集中した光で複数の部分に集中されるスペースの一つ以上の部分を具備する。集中した光を持つスペースの一つ以上の部分は、例えばこのように照明システムの使用の異なる時点の間に、異なる位置に供給される。スペースは、このように例えば、しなりやすい表面の部分上の光源により生成される光が集中されず、よってスペース内に広く照明された領域を供給するスペース内の一つ以上の領域を具備する。集中した光を持つスペースの一つ以上の部分は、例えばスペース内の作業領域と関連している。実施例では、照明システムは、更に、壁を照明するための付加的な光源を取り付ける必要なく周辺照明を生成するために、スペースの壁に向けた光を供給する。通常の照明及びタスク照明のために使用されるのと同じ照明システムで壁を照明することは、全体のスペース間に一貫した照明プロフィールを規定する際に有利である。
【００６２】
この明細書全体にわたって、用語「青い光」又は「青い放射」は、特に約４１０―４９０ｎｍの範囲の波長を持つ光に関する。用語「緑の光」は、特に約５００―５７０ｎｍの範囲の波長を持つ光に関する。用語「赤ランプ」は、特に約５９０―６５０ｎｍの範囲の波長を持つ光に関する。用語「黄色の光」は、特に約５６０―５９０ｎｍの範囲の波長を持つ光に関する。本願において用語「光」は、特に可視光、すなわち約３８０―７８０ｎｍの範囲から選択される波長を持つ光に関する。カーペットから、すなわちカーペットタイル上部表面からカーペット上のスペースに放射している光は、「カーペット光」とも本願で示される。
【００６３】
特に明記しない限り、適用できて技術的に可能な所では、多数の要素から「成るグループから選択される」というフレーズは、列挙された要素の２つ以上の組合せも指す。
【００６４】
「下」、「上」、「上部」及び「底部」のような用語は、照明システムが実質的に水平表面に実質的に平らに配置されるときに得られる部材の位置又はアレンジメントに関し、照明システム底部面は実質的に水平表面に平行であり、天井から離れて部屋に向かっている。しかしながら、これは、壁に対するような他のアレンジメント、又は他の（垂直な）アレンジメントの照明システムの使用を除外しない。
【００６５】
本発明の実施例は、ここで単なる例示により、対応する参照符号が対応する部品を示す添付の模式的図面を参照して説明されるだろう。
【図面の簡単な説明】
【００６６】
【図１】図１は、本発明による照明ユニットの実施例を模式的に表す。
【図２】図２は、本発明による照明ユニットの実施例を模式的に表す。
【図３】図３は、本発明による照明ユニットの他の実施例を模式的に表す。
【図４】図４は、本発明による照明ユニットの態様の実施例及びそれらの変形を模式的に表す。
【図５】図５は、本発明による照明ユニットの態様の実施例及びそれらの変形を模式的に表す。
【図６】図６は、本発明による照明ユニットの態様の実施例及びそれらの変形を模式的に表す。
【図７】図７は、本発明による照明ユニットの態様の実施例及びそれらの変形を模式的に表す。
【図８】図８は、本発明による照明ユニットの態様の実施例及びそれらの変形を模式的に表す。
【図９】図９は、本発明による照明ユニットの実施例を模式的に表す。
【図１０】図１０は、本発明によるスペースの実施例を模式的に表す。
【発明を実施するための形態】
【００６７】
図１及び図２は、照明ユニット１００を有する例示的な照明アレンジメント１を模式的に示す。照明ユニット１００は、表面１０を持つ。表面１０は、実質的に連続でしなりやすい表面１０である。しなりやすい表面１０は、しなりやすい表面１０のそれぞれの表面領域３０に複数の光源２０を担持する。光源２０の各々は、光ビーム２４を生成するように設けられる。光ビーム２４は、それぞれの光軸Ｏを持つ。示される例では、各光ビーム２４は、開口角度φを持ち、それは好ましくは、２０°より小さな半値全幅（ＦＷＨＭ）値、例えば６度を持つ。光源２０は、例えば隣接した光源２０間に距離ｄを持つ格子上のパターンでしなりやすい表面１０上に配置される。照明ユニット１００は、図１の机２によって示されるワークスペース３と周囲領域とを照明する。照明ユニット１００は、例えばオフィススペースの天井に取付けられる。照明ユニット１００は、例えば机２より上の高さｈに置かれる。代わりに、高さｈは、床より上の照明ユニットまでの距離として測定されてもよい。
【００６８】
しなりやすい表面１０は、異なるプロフィールへもしなりやすいプロフィールＺを持つ。図１では、しなりやすい表面のプロフィールは、実質的に平坦なプロフィールであり、すなわちしなりやすい表面は平坦な基準面４０に実質的に平行である。この状況は、基準状態と呼ばれる。この例では基準状態において、全ての光源２０は、共に実質的に均一な照明パターンを提供し、これは例えば部屋の通常の照明に適している。
【００６９】
プロフィールＺは、所定形状に従って設定され、及び／又は第１の形状から第２の形状へ変えられる。プロフィールＺを所定形状に設定することは、所定の方向に従って表面領域３０の方向を設定することを有する。プロフィールＺを第１の形状から第２の形状に変えることは、複数のそれぞれの第１の方向から複数のそれぞれの第２の方向に表面領域３０の方向を変えることを有し、表面領域３０の少なくとも一つの第２の方向は、表面領域３０の第１の方向とは異なる。光ビーム２４のそれぞれの光軸Ｏの方向は、それぞれの表面領域３０の方向にリンクされる。このように、しなりやすい表面１０のプロフィールＺの異なるプロフィールは、複数の表面領域３０の少なくとも一部の異なる方向に対応し、よって、対応する光軸Ｏの異なる方向に対応する。光軸Ｏの少なくとも一部の方向の変化に結果的になるしなりやすい表面１０のプロフィールＺを設定又は変える代わりに、しなりやすい表面１０のプロフィールＺの変化に結果的になる光源２０の方向を設定又は変えることにより、光軸Ｏの方向を設定又は変えることは理解されるだろう。
【００７０】
光源２０は、好ましくはしなりやすい表面１０上に均一に分散される。ＬＥＤは軽量及び小さく、特に例えば６°のＦＷＨＭの開口角度φを持つ最適に設計された２次的光学系を具備するとき、良好に集中した光ビームを提供するので、光源２０は、好ましくは発光ダイオード（ＬＥＤ）である。ＬＥＤは、複数の色についての色合いだけでなく、白色についての複数の色合いに利用できるので、ＬＥＤは、また有利である。このように、照明ユニット１００は、生成された光の色及び／又は照明ユニット１００から供給できる複数の色に関する任意の要件に従ってデザインできる。
【００７１】
図２は、プロフィールＺを持つしなりやすい表面１０が図１とは異なる形状を持った、図１と同じ照明ユニットを示す。図２では、しなりやすい表面１０の表面領域３０は、個別に制御される方向に各々向けられる。これは、最も左の表面領域３０に対して、表面領域３０は基準表面４０との角度βを作り、角度βは表面領域３０の正接３１と基準表面４０との間の角度として描かれて図２に示される。結果として、対応する光源２０により生成される光ビーム２４の方向が、変えられる。示される例では、表面領域３０に対する光ビーム２４（すなわち特にその光軸Ｏ）の方向は、この例では、ほぼ９０°である角度αとして示され、すなわち光ビーム２４は表面領域３０に対して垂直に向けられる。よって、光ビーム２４は、基準表面４０の法線に対してβに対応する角度で供給される。このように、実施例では、角度αとして示される表面領域３０に対する光ビーム２４の方向は、光源２０の方向及び表面領域３０の方向が実質的にリンクされるので、実質的に一定である。
【００７２】
図１及び図２は、照明ユニット１００のしなりやすい表面１０のプロフィールＺが、例えば、作業領域内のタスク照明のため、又は店に展示される物品に向ける注意照明のための集中された光や、集中されていない光、例えば通常の照明のための実質的に均一な光を供給するために設定又は調整されることを明確に示す。
【００７３】
図３は、しなりやすい表面１０が非平坦な形状に対応するプロフィールＺを持つ照明ユニット１００の実施例を模式的に示す。照明ユニット１００は、しなりやすい表面１０を形成しているしなりやすいボディ表面５２を持つ閉じたボディ５０を持つ。しなりやすいボディ表面５２は、例えば１つの表面がしなりやすい表面１０を形成するシートのしなりやすい材料である。閉じたボディ５０は、例えば堅いベースプレートと、ベースプレートに接続された側壁と、側壁の間に固定されるシートのしなりやすい材料により形成される上部表面とを有する閉じた箱である。しなりやすい表面１０は、しなりやすいボディ表面５２を特定の材料又はタイプに制限する意図なしに、以下では膜とも呼ばれる。この例では、閉じたボディ５０は、複数の閉じた区画６０を持つ。各閉じた区画は、しなりやすい区画表面６２を持つ。区画６０は、実質的にシームレスに設けられる。区画表面６２は、共に閉じたボディ５０のしなりやすいボディ表面５２を形成する。閉じたボディ５０は、流体の圧力を使用してプロフィールＺを制御するように設けられる。この例では、圧力は、閉じたボディ５０の内部５４への空気圧力として、しなりやすいボディ表面５２の反対側の閉じたボディ５０の外側５６の空気圧力に対しての空気圧力として付与される。より詳しくは、圧力は、閉じた区画６０の各々に付与される複数の個別に制御可能な圧力として付与される。この例では、圧力は、しなりやすいボディ表面５２、又は特に対応するしなりやすいボディ区画表面６２の反対側の閉じた区画６０の外側６６での空気圧力に対する閉じた区画６０の内部６４への空気圧力として付与される。
【００７４】
光源２０は、表面領域３０のしなりやすい表面１０に供給される。閉じた区画６０内の圧力が外圧より大きいとき、ボディ区画表面６２は、凸形状を取るだろうし、ボディ区画表面６２に対応する光源２０により生成される光ビーム２４は、図３の左右の区画６０に対して示されているように、互いに対して拡散的である。閉じた区画６０内の圧力が外圧より小さいとき、ボディ区画表面６２は凹形状を取るだろうし、ボディ区画表面６２に対応する光源２０により生成される光ビーム２４は、図３の中間の区画６０に対して示されているように、互いに対して収束性である。流体の圧力を使用して凸状又は凹状の異なるレベル間の形状の変化は、バルーニング（バルーン）と以下では呼ばれる。より凸形状へ変化を制御することは、膨張と呼ばれる。より凹形状へ変化を制御することは、収縮と呼ばれる。
【００７５】
また図１及び２を参照する例では、各光源２０は発光ダイオード（ＬＥＤ）であり、光源２０間の距離ｄは、ほぼ１０ｃｍであり、光源２０は、正方形の照明ユニットのしなりやすい表面１０にわたって分散される８ｘ８の光源２０の正方形のアレイとして配置されている。２８０ｃｍの天井高さ及び床から作業台までの通常８０ｃｍの机高さでは、これは、机の作業台からしなりやすい表面１０まで測定されて２ｍの高さｈに対応する。６°開口角度の光源を持つと、照明ユニット１００の全ての光源２０のビームを作業台に集中させるために、約３５０ｃｍの半径を持つ凹面が必要とされる。
【００７６】
示された例では、圧力は空気圧力により供給されるが、代わりに圧力は、他のガス又は水のような液体の代替手段により供給されてもよい。以下の説明では、空気が参照されるが、当業者は等しく代替手段を適用できることを理解するだろう。
【００７７】
閉じたボディ５０、特にはその閉じた区画６０は、空気８０の吸気口８２及び放出口８４を持つ。空気８０の流れは、各区画６０内に必要な圧力を付与するために吸気口８２及び／又は放出口８４で制御される。圧力を供給することから離れて、又は更に代わりに、空気の流れは、熱を光源２０から離れるように送る機能もあり、斯様な気流は、冷却手段として非常に効率的であり得る。代わりに、閉じたボディ５０又は特にその閉じた区画６０は、吸気口８２へ及び放出口８４から通過する外部の空気の連続的流れを使用しないが、冷却機能を供給するため閉じたボディ及び／又は各区画６０内に空気の連続的な流れを持つだけでもよい。
【００７８】
図４は、モニタ１１０及びコントローラ１２０と協働するために更に設けられた照明ユニット１００の他の実施例を示す。モニタ１１０は、しなりやすいボディ表面５２により供給される実際のプロフィールＺを示しているモニタパラメータを監視する。モニタパラメータは、例えば圧力、ガス／空気の流れ、及び／又は少なくとも一つのそれぞれの表面領域３０の少なくとも一つの方向若しくは少なくとも一つのそれぞれの光軸Ｏの少なくとも一つの方向のようなしなりやすいボディ区画表面６２の形状の測定である。モニタ１１０は、パラメータに依存してモニタ信号を生成し、コントローラ１２０にモニタ信号を供給する。コントローラ１２０は、制御ループ、例えばフィードバック制御ループで、実際のプロフィールＺを監視し制御するためのモニタ信号を使用する。照明ユニット１００は、モニタ１１０を具備する。代わりに、モニタ１１０は、照明ユニット１００の外部に供給され、照明ユニット１００と協働してもよい。コントローラは、照明ユニット１００内に含まれてもよい。代わりに、コントローラは、照明ユニット１００の外部に供給され、照明ユニット１００と協働してもよい。
【００７９】
図５は、実施例による照明ユニット１００を示す。図５では、照明ユニット１００は１２個の六角形状の閉じた区画６０を有し、各々が複数の光源２０を担持する。この例では、光源２０は、発光ダイオード（ＬＥＤ）である。図５の照明ユニット１００は、特定の参照符号６１０でも更に呼ばれるだろう。照明ユニット６１０は、複数の閉じた区画６０から閉じたボディ５０を形成する。区画６０は、実質的にシームレスに設けられ、このように、実質的に連続でしなりやすい表面１０を形成し、しなりやすい表面１０は、区画６０に凹状又は凸状の区画表面６２を個別に供給することにより局所的に凹状又は凸状であり得る。
【００８０】
照明ユニット１００は、代わりに、区画６０の分割なしで、単一の閉じたボディ５０を持ってもよいことが理解されるだろう。照明システムは複数の照明ユニット１００から構成されてもよく、照明システムは、例えば図５の照明ユニット６１０の形状と同様の形状を持ってもよいことが理解されるだろう。このように図５は、複数の六角形の照明ユニットを有する照明システムも説明する。
【００８１】
図６ａ乃至図６ｃは、複数の光源２０を担持している照明ユニット１００の例示的な実施例を示す。これらの例示的な実施例では、照明ユニット１００は、単一の区画６０を持つ。照明ユニット１００は、多角形状であり、より特に六角形状のユニット６００である。六角形又は正方形の形状に形成されている照明ユニット１００の利点は、複数の照明ユニット１００が実質的にシームレスに一緒に設けられることを可能にするということである。
【００８２】
光源２０は、ＬＥＤである。
【００８３】
１つの照明ユニット１００に含まれる光源２０の数は、好ましくは少なくとも２０、より好ましくは少なくとも５０、更により好ましくは少なくとも１００個のＬＥＤである。ＬＥＤは、１００ｃｍ２当たり少なくとも１つのＬＥＤの密度で、より好ましくは５０ｃｍ２当たり少なくとも１つのＬＥＤの密度で、より好ましくは２０ｃｍ２当たり少なくとも１つのＬＥＤの密度で、更により好ましくは１０ｃｍ２当たり少なくとも１つのＬＥＤの密度で、より好ましくは、５ｃｍ２当たり少なくとも１つのＬＥＤの密度で好ましくは供給され、密度は照明システムの（しなりやすい表面）領域に対して測定される。
【００８４】
図６ａに示される実施例では、光源２０は、多角形状の照明ユニット６００の中心６０２の周りに集められた螺旋形アレンジメント６２０で設けられる。光源は、螺旋形の電気的接続部６２４によって、螺旋形アレンジメントに沿って電気的に接続される。このように、螺旋形アレンジメントは、しなりやすい表面１０がバルーニングするとき、螺旋に沿って定められる電気的接続部が高いストレスを持たないという利点を持つ。
【００８５】
図６ｂに示される実施例では、光源２０は、多角形状の照明ユニット６００の中心６０２の周りに集められた実質的に円形のアレンジメント６３０に設けられる。光源は、実質的に同心の円６３４の実質的に円形のアレンジメントに沿って電気的に接続される。このように、円形のアレンジメントは、例えばしなりやすい表面１０がバルーニングするとき、円形に従う電気的接続部が高いストレスを持たないという利点を持つ。
【００８６】
図６ｃに示される実施例では、複数の光源２０は、多角形状の照明ユニット６００の中心６０２の周りに集められた実質的に星型のアレンジメント６４０内の多角形状の照明ユニット６００のしなりやすい表面に接続されている。光源の電気的接続部は、星型のアレンジメントの脚部６４１に沿って、実質的に放射状に延在する。このように、星型のアレンジメントは、しなりやすい表面１０がバルーニングするとき、脚部６４１に沿った電気的接続部が高いストレスを持たないという利点を持つ。
【００８７】
図７ａ乃至７ｄは、光源２０の代わりの実施例、ここではしなりやすい材料のシート１２から形成されるしなりやすい表面１０に接続される発光ダイオードを示す。各ＬＥＤ２０は、小さな例えばセラミック基板７５上に発光ダイオードチップ７１を有する発光ダイオードパッケージ７０を持ち、発光ダイオードチップ７１上に主要レンズ７３を具備する。斯様な主要なレンズ７３は、発光ダイオードチップ７１により生成される光を最適に出力させるために一般に用いられる。小さな基板７５は、ＬＥＤ２０に給電するために設けられた導体７４に発光ダイオードチップを電気的に接続させる導電トラックを有する。ＬＥＤ２０は、更に、主要レンズ７３を通って放射される光を必要な開口角度φを持つビームに成形するために、通常はコリメータレンズである第２の光学系７２を具備する。
【００８８】
図７ａでは、導体７４は、シート１２に埋められ、よって、ＬＥＤ２０をしなりやすい表面１０に接続している。代わりに、導体７４は、シート１２の側面の一方に取り付けられてもよい。このように、第２の光学系７２は、シート１２の外側に延在する。
【００８９】
図７ｂ及び図７ｃでは、第２の光学系７２がシート１２に埋められ、よって、ＬＥＤ２０は（光ビームが送られる側から見て）シート１２の後にある。好ましい実施例では、第２の光学系７２は、シート１２と直接統合されて、ＬＥＤ２０をシート１２に接続する。シート１２は、例えば光学的に適切なシリコンから製造できる。図７ｃでは、導体７４が別個のキャリア７６に配置される実施例が詳細に示される。この別個のキャリア７６は、熱パイプのような、発光ダイオードチップ７０を冷却するために用いられるパイプから作られる。冷却は、強制液体流又は空気流によりなされる。
【００９０】
図７ｄは、ＬＥＤ２０が、シート１２の後に取り付けられ、導体７４を介してシート１２に接続される実施例を示す。シート１２のしなりやすい材料は、例えば拡散性であり、色付きであり得て、透明な部分７８、例えばホール又は透明の窓を持ち、透明な部分を通って、コリメートされた光が送られる。膜の残りは、拡散的に光ってもよい。
【００９１】
代わりの態様で、ＬＥＤ２０が、しなりやすい表面１０に接続できることは理解されるだろう。
【００９２】
図１乃至図３及び図７ａ乃至図７ｃは、しなりやすい表面１０が実質的に連続的であることを模式的に示す。光源からの光が（図７ｂ、図７ｃ及び図７ｄに模式的に示されるように）照明ユニットから漏れ可能にするために任意の開口部を持つ実施例を除いて、また光源及び（図１乃至３、図７ａ及び図７ｂに模式的に示されるような）任意の光学系を除いて、鋭い不連続性及び開口部は認められない。
【００９３】
図８ａ乃至図８ｃは、照明ユニット１００が複数の作動位置９２でしなりやすい表面１０に作用するように設けられるアクチュエータ９０を持つ本発明による照明ユニット１００の例示的な実施例を示す。アクチュエータ９０は、複数の作動位置９２でしなりやすい表面１０と係合しているそれぞれの作動部材９５を持つ複数のアクチュエータユニット９４を有する。作動部材は、個別に９５（１）、９５（２）等として示される。アクチュエータユニット９４は、（図８ａにも、図８ｂにも示されていない）基準表面４０と実質的に直角をなす軸９６に沿ってしなりやすい表面１０を配置するように作動部材９５を動かす。作動部材９５は、例えば、ワームベアリングを形成しているスレッドに作用するモーターを有するそれぞれのアクチュエータユニット９４により線形に移動可能であるねじロッド形状部材である。例えば代わりの線形モーター、例えばピエゾモーターを持つ代わりの作動部材９５が用いられてもよい。図８ａ及び図８ｂで示される状況では、アクチュエータ９０は、しなりやすい表面１０に凹形状を与えた。
【００９４】
光源２０により生成される光ビーム２４の光軸Ｏが、図８ａ乃至図８ｃに示される。図８ａ乃至図８ｃは、また、照明ユニット１００により供給される全ての光ビームの集まりから成る構成されたビーム２５を示す。これらの例では、しなりやすい表面１０は、凹形状のプロフィールＺを持ち、結果的にコリメートされて構成されたビーム２５となる。
【００９５】
図８ａは、作動部材９５が、光源２０の位置でしなりやすい表面１０と係合する実施例を示す。示される例では、作動部材９５は、しなりやすい表面１０と直接係合する（すなわち、シートのしなりやすい材料から形成されるとき、しなりやすい材料のシートの側面が作動部材９５に向かい合っている）。代わりの実施例では、作動部材９５は、直接光源２０に接続して、光源２０を介してしなりやすい表面１０に作用する。図８ａに示される状況では、アクチュエータ９０は、それぞれの軸９６に沿った異なる位置にそれぞれの作動部材９５を動かすことにより、しなりやすい表面１０に凹形状を与えた。特に、参照符号９５（４）で示される照明ユニット１００の中央の作動部材９５が、第１の程度までアクチュエータユニットの方へしなりやすい表面を引き、しなりやすい表面１０の中央の作動部材から等距離に位置する作動部材９５が小さな程度までアクチュエータユニットの方へしなりやすい表面を引くことによりしなりやすい表面１０に作用し、例えば作動部材９５（１）及び９５（７）は、作動要素９５（４）の第１の程度より小さくい実質的に互いに等しい程度までしなりやすい表面１０を引く。これは、しなりやすい表面１０の凹状で対称形の形状が達成されるという効果を持つ。作動部材９５が非対称的に駆動されるとき、しなりやすい表面１０の非対称形のプロフィールも供給される。
【００９６】
図８ｂは、少なくとも作動部材９５の幾つかが光源２０の位置と異なる位置のしなりやすい表面１０と係合するという点で、図８ａに示された実施例と異なる代わりの実施例を示す。これは、光源２０の数より少ない作動部材９５及びアクチュエータユニット９４を使用可能にし、より経済的である。十分に大きな数の作動部材９５が用いられるとき、これは、十分に滑らかな態様でしなりやすい表面１０を依然形成可能にする。
【００９７】
図８ｃは、しなりやすい表面１０の非対称の形状を持つプロフィールＺが供給されるように、作動部材９５（１）．．．９５（５）が非対称的に駆動されるという点で、図８ｂに示された実施例と異なる図８の他の代わりの実施例を示す。これは、光源２０により生成される全ての光ビームから形成される構成されたビーム２５のコリメーションの程度を変えるだけでなく、また、構成されたビームの方向も変える一方、作動部材９５（１）．．．９５（５）の対称形の駆動は、構成されたビーム２５の方向を変えない。このように、照明ユニットは、照明ユニットの構成されたビームの方向だけでなくにコリメーションの程度を組み合わせることにより、照明プロフィールに供給する際の付加的な自由度を提供する。
【００９８】
図９は、本発明による照明システム１を示す。照明システム１は、複数の照明ユニット１００を有する。示される例では、照明ユニット１００は、互いに隣接していて、実質的にシームレスに相互接続されているが、照明ユニット１００の幾らかは、他の照明ユニットから離れて間隔を置かれていてもよいことは理解されるだろう。例示的な照明システム１では、照明ユニット１００は全てシステムコントローラ１２０に接続されている。システムコントローラ１２０は、照明ユニット１００を制御するように設けられる。制御プロセスは、それぞれのプロフィールＺを形成するステップを有し、例えば、照明ユニット１００のそれぞれのプロフィールＺを一つ以上の予め選択されたプロフィールに設定するか、又は複数の第１のプロフィールから複数の第２のプロフィールへそれぞれのプロフィールＺを変え、少なくとも一つの照明ユニットに対してこれらプロフィールの第２の形状が第１の形状とは異なる。
【００９９】
図１０は、本発明による照明システム１を有するスペース１０００を示す。スペース１０００は、例えば、ドア１００８を通って入るオフィススペースのような例えば閉スペース（の一部）である。照明システム１は、スペースの天井１００２に取付けられる。テーブル２及び椅子４は、スペース１００内に置かれる。テーブル２及び椅子４の位置は、変えられる。また、テーブル及び椅子の数は、例えばスペースがリビングルームであるときは訪問客に適応するために、又はスペースがオフィススペースであるときは付加的な作業スペースに適応するために、変えられる。
【０１００】
照明システム１は、更に、例えば天井１００２上の照明システム１の外に設けられるか、又は図９を参照して説明されたように照明システム１内に一体化されて設けられてもよいシステムコントローラ１１０に接続されている。システムコントローラ１２０は、特に照明システム１を制御し、特に照明システムの異なる照明ユニット上の個々の光源、又は照明システム１の照明ユニット１００上の個々の光源を制御するように設けられる。照明システム１の一つ以上の色、パターン形状、オン／オフ状態及び出力強度は、可変的であって、コントローラにより制御される。
【０１０１】
更に、照明システム１により生成される照明プロフィールの色及びパターン形状の一つ以上は、（アプローチセンサ、火センサ、煙センサ、熱センサ等のような）センサ１００６のセンサ信号に依存し、当該センサは、照明システム１により照明できる領域上の若しくは領域内の対象物を検出するか、又は煙及び熱からなるグループから選択される特徴を検出するように設けられ、システムコントローラ１２０は、センサ信号に依存して照明システム１により生成される照明プロフィールの色、オン／オフ状態、強度及びパターン形状の一つ以上を制御するように設けられる。従って、更に他の実施例では、照明システム１は、更に、アプローチセンサ、煙センサ又は熱センサ等のようなセンサを有し、当該センサは、照明システム１の外に設けられてもよいが、照明システム１内に統合されてもよい。用語「センサ」は、複数のセンサを指してもよい。斯様な複数のセンサは、例えば、異なる位置で（ユーザのタッチのような）同じパラメータを検出するか、又は（ユーザのタッチ及び煙それぞれのような）異なるパラメータを検出するように設けられる。
【０１０２】
これらの図では、電気的ケーブルなどのようなあまり関係がないフィーチャは、明瞭化のため描かれていない。
【０１０３】
「実質的に平坦な」又は「実質的に構成される」のような本明細書における「実質的に」という用語は、当業者には理解されるであろう。実施例では「実質的に」という副詞は削除されてもよい。適用可能であれば、用語「実質的に」は、「全部」、「完全に」、「全て」等を伴う具体例も含んでいる。適用可能であれば、「実質的に」という用語は、９５％以上のような９０％以上、特には１００％を含む特に９９％以上に関係がある。「有する」という用語は、「有する」という用語が「より成る」を意味する具体例も含んでいる。
【０１０４】
更にまた、明細書及び請求項の中の第１の、第２の、第３の等の用語は、同様の要素間を区別するために使用され、順番的又は時間的な順序を必ずしも説明しているというわけではない。このように用いられている用語は、適当な状況の下で交換可能であり、本願明細書に説明されている本発明の実施例は、本願明細書に説明又は例示されている以外の順序で動作できることは理解されるべきである。
【０１０５】
本明細書で用いられる装置は、とりわけ動作時について説明されている。当業者には明らかなように、本発明は、動作の方法又は動作時の装置に限定されない。
【０１０６】
上述した実施の形態は、本発明を限定するものではなく説明しており、当業者であれば添付の特許請求の範囲から逸脱することなく多数の代替の実施の形態を考案することができることに注意されたい。特許請求の範囲では、括弧内に配された任意の参照符号が、特許請求の範囲を限定するように解釈されるべきではない。動詞「有する」及びその活用の使用は、特許請求の範囲において述べられている構成要素又はステップ以外の構成要素又はステップの存在を排除するものではない。「及び／又は」という用語は、関連している列挙された事項の１つ又はそれ以上の任意の及び全ての組み合わせを含み得る。構成要素の前に付された冠詞「a」又は「an」は、複数のそのような構成要素の存在を排除するものではない。構成要素の前に付された冠詞「the」は、複数のそのような構成要素の存在を排除するものではない。幾つかの手段を列挙しているデバイスの請求項では、これらの手段の幾つかが、ハードウェアの１つの同じアイテムにより具現化され得る。ある方策が互いに異なる従属請求項において述べられているという単なる事実は、これらの方策の組み合わせが有利に用いられ得ないことを示してはいない。
【図１】
0005872455.tif 000002
【図２】
0005872455.tif 000003
【図３】
0005872455.tif 000004
【図４】
0005872455.tif 000005
【図５】
0005872455.tif 000006
【図６ａ】
0005872455.tif 000007
【図６ｂ】
0005872455.tif 000008
【図６ｃ】
0005872455.tif 000009
【図７ａ】
0005872455.tif 000010
【図７ｂ】
0005872455.tif 000011
【図７ｃ】
0005872455.tif 000012
【図７ｄ】
0005872455.tif 000013
【図８ａ】
0005872455.tif 000014
【図８ｂ】
0005872455.tif 000015
【図８ｃ】
0005872455.tif 000016
【図９】
0005872455.tif 000017
【図１０】
0005872455.tif 000018